(57)【要約】【課題】乗員が車両用シートに着座したままでパームレストの位置を容易に調節することができる車両用スイッチ操作機構を得る。【解決手段】コンソールボックス本体１０の上部前端側には、乗員が指で操作する操作スイッチ２８が設けられており、その後方側には掌を載せるパームレスト１８が設定されている。パームレスト１８の下部側で指の届く範囲には、コンソールボックス本体１０のロック状態を解除する操作ノブ４４が設けられている。従って、乗員はパームレスト１８の前後位置を調節する際に蓋を開ける等の操作をすることなく、片手で簡単に操作ノブ４４を引き上げてロック状態を解除し、コンソールボックス本体１８を前後動させることができる。【選択図】        図１
2006240330.tif 000002
【特許請求の範囲】
【請求項１】
車両用シートに隣接して配置された操作部設置物に設けられ、乗員が指で操作する操作部と、
前記操作部の後方側に配置され、乗員が指で操作部を操作する際に乗員の掌を載せるパームレストと、
を含んで構成された車両用スイッチ操作機構であって、
前記パームレストを車両前後方向又は車両幅方向或いは車両斜め方向へ移動させるためのパームレスト移動手段と、
前記パームレストを移動後の位置に保持するロック手段と、
乗員がパームレストに掌を載せた状態で当該乗員の指が届く範囲に設けられ、ロック手段によるロック状態を解除するための解除手段と、
を有することを特徴とする車両用スイッチ操作機構。
【請求項２】
前記パームレスト移動手段は、前記パームレストを前記操作部設置物に対して近接・離隔方向へ移動可能とするパームレスト移動機構によって構成されており、
前記ロック手段は、パームレストをパームレスト移動機構による移動後の位置に保持するパームレストロック機構によって構成されている、
ことを特徴とする請求項１記載の車両用スイッチ操作機構。
【請求項３】
前記パームレスト移動手段は、前記操作部設置物を車体フロアに対して車両前後方向又は車両幅方向或いは車両斜め方向へ移動可能とする操作部設置物移動機構によって構成されており、
前記ロック手段は、前記操作部設置物を操作部設置物移動機構による移動後の位置に保持する操作部設置物ロック機構によって構成されている、
ことを特徴とする請求項１記載の車両用スイッチ操作機構。
【請求項４】
請求項２記載のパームレスト移動機構及びパームレストロック機構と、請求項３記載の操作部設置物移動機構及び操作部設置物ロック機構と、を併有しており、
前記解除手段は、前記パームレストロック機構によるパームレストのロック状態を解除するための第１解除部と、前記操作部設置物ロック機構による操作部設置物のロック状態を解除するための第２解除部と、によって構成されている、
ことを特徴とする車両用スイッチ操作機構。
【請求項５】
前記解除手段によって前記ロック手段によるパームレストのロック状態を解除しかつ前記パームレスト移動手段によって当該パームレストを所定の回動位置まで移動させることにより、当該パームレストが設けられた操作部設置物の上部蓋部材を開閉可能とする開閉手段を有することを特徴とする請求項１記載の車両用スイッチ操作機構。
【請求項６】
前記解除手段は、前記パームレストの下部側又は側部側に設けられている、
ことを特徴とする請求項１乃至請求項５のいずれか一項に記載の車両用スイッチ操作機構。
【発明の詳細な説明】
【技術分野】
【０００１】
本発明は、操作部の後方側に配置されて乗員が指で操作部を操作する際に乗員の掌を載せるパームレストを備えた車両用スイッチ操作機構に関する。
【背景技術】
【０００２】
下記特許文献１〜３には、操作部設置物の一例であるコンソールボックスの上部に、各種スイッチを操作するときに掌を載せるパームレストを形成する技術が開示されている。
【０００３】
また、下記特許文献１〜３には開示されていないが、従来から、コンソールボックス全体をガイドレールに沿って車両前後方向に移動可能に設け、コンソールボックスの前後位置を調節可能とする技術が知られている。なお、この場合、コンソールボックスを調節後の位置に保持するためにロック装置及びロック解除ノブが設けられている。
【特許文献１】特開２００３−２８０８１４号公報
【特許文献２】特開２００２−２１１２７７号公報
【特許文献３】特開２００２−２５４９５０号公報
【発明の開示】
【発明が解決しようとする課題】
【０００４】
しかしながら、ドライバがフロントシートに着座した状態でパームレストの位置を前後に移動させて自分にとって最適な位置に調節しようとした場合、仮にロック解除ノブがパームレストから遠い位置に配設されていると、例えば、コンソールボックスの上部の蓋を開けると現れる内部収納スペースの側面等にロック解除レバーが配設されている場合等には、ロック状態を解除するためにはまず蓋を開ける作業が必要となる。このため、パームレストの前後位置調節操作を片手で行うのが煩雑になる。
【０００５】
本発明は上記事実を考慮し、乗員が車両用シートに着座したままでパームレストの位置を容易に調節することができる車両用スイッチ操作機構を得ることが目的である。
【課題を解決するための手段】
【０００６】
請求項１記載の本発明に係る車両用スイッチ操作機構は、車両用シートに隣接して配置された操作部設置物に設けられ、乗員が指で操作する操作部と、前記操作部の後方側に配置され、乗員が指で操作部を操作する際に乗員の掌を載せるパームレストと、を含んで構成された車両用スイッチ操作機構であって、前記パームレストを車両前後方向又は車両幅方向或いは車両斜め方向へ移動させるためのパームレスト移動手段と、前記パームレストを移動後の位置に保持するロック手段と、乗員がパームレストに掌を載せた状態で当該乗員の指が届く範囲に設けられ、ロック手段によるロック状態を解除するための解除手段と、を有することを特徴としている。
【０００７】
請求項２記載の本発明に係る車両用スイッチ操作機構は、請求項１記載の発明において、前記パームレスト移動手段は、前記パームレストを前記操作部設置物に対して近接・離隔方向へ移動可能とするパームレスト移動機構によって構成されており、前記ロック手段は、パームレストをパームレスト移動機構による移動後の位置に保持するパームレストロック機構によって構成されている、ことを特徴としている。
【０００８】
請求項３記載の本発明に係る車両用スイッチ操作機構は、請求項１記載の発明において、前記パームレスト移動手段は、前記操作部設置物を車体フロアに対して車両前後方向又は車両幅方向或いは車両斜め方向へ移動可能とする操作部設置物移動機構によって構成されており、前記ロック手段は、前記操作部設置物を操作部設置物移動機構による移動後の位置に保持する操作部設置物ロック機構によって構成されている、ことを特徴としている。
【０００９】
請求項４記載の本発明に係る車両用スイッチ操作機構は、請求項２記載のパームレスト移動機構及びパームレストロック機構と、請求項３記載の操作部設置物移動機構及び操作部設置物ロック機構と、を併有しており、前記解除手段は、前記パームレストロック機構によるパームレストのロック状態を解除するための第１解除部と、前記操作部設置物ロック機構による操作部設置物のロック状態を解除するための第２解除部と、によって構成されている、ことを特徴としている。
【００１０】
請求項５記載の本発明に係る車両用スイッチ操作機構は、請求項１記載の発明において、前記解除手段によって前記ロック手段によるパームレストのロック状態を解除しかつ前記パームレスト移動手段によって当該パームレストを所定の回動位置まで移動させることにより、当該パームレストが設けられた操作部設置物の上部蓋部材を開閉可能とする開閉手段を有することを特徴としている。
【００１１】
請求項６記載の本発明に係る車両用スイッチ操作機構は、請求項１乃至請求項５のいずれか一項に記載の発明において、前記解除手段は、前記パームレストの下部側又は側部側に設けられている、ことを特徴としている。
【００１２】
請求項１記載の本発明によれば、車両用シートに隣接して配置された操作部設置物に配設された操作部を乗員が操作する場合、操作部の後方側に配置されたパームレストに掌を載せ、指で操作部を操作すればよい。
【００１３】
ところで、乗員が操作部を指で操作するにあたって、パームレストの車両前後方向の位置が当該乗員にとって前過ぎたり、逆に後過ぎたりすることがある（車両幅方向又は車両斜め方向についても同様のことが当てはまる。以下、同じ。）。このような場合には、解除手段によってロック手段によるロック状態を解除し、パームレスト移動手段を使ってパームレストの位置が最適な位置になるようにパームレストを車両前後方向へ移動させる。パームレストの位置の調節が完了すると、ロック手段によってパームレストは移動後の位置に保持される。
【００１４】
ここで、本発明では、ロック手段によるロック状態を解除するための解除手段を、乗員がパームレストに掌を載せた状態で当該乗員の指が届く範囲に設けたので、乗員はパームレストに掌を載せたままの状態で、上記パームレストの位置の調節ができる。
【００１５】
請求項２記載の本発明によれば、パームレストの位置を調節する場合、解除手段によってパームレストロック機構のロック状態を解除し、続いてパームレスト移動機構を用いてパームレストを操作部設置物に対して近接・離隔方向へ移動させればよい。すなわち、本発明によれば、操作部設置物に配設された操作部を基準としたパームレストの位置を調節することができる。
【００１６】
請求項３記載の本発明によれば、パームレストの位置を調節する場合、解除手段によって操作部設置物ロック機構のロック状態を解除し、続いて操作部設置物移動機構を用いて操作部設置物を車体フロアに対して車両前後方向へ移動させればよい。すなわち、本発明によれば、車体フロアを基準としたパームレストの位置を調節することができる。
【００１７】
請求項４記載の本発明によれば、請求項２記載のパームレスト移動機構及びパームレストロック機構と、請求項３記載の操作部設置物移動機構及び操作部設置物ロック機構と、を併有しているので、操作部を基準としたパームレストの位置を調節する際には、第１解除部を操作してパームレストロック機構のロック状態を解除させればよく、車体フロアを基準としたパームレストの位置を調節する際には、第２解除部を操作して操作部設置物ロック機構のロック状態を解除すればよい。
【００１８】
しかも、第１解除部及び第２解除部はいずれも、乗員がパームレストに掌を載せた状態で当該乗員の指が届く範囲に設けられているため、片手で両方の操作を行うことができる。
【００１９】
請求項５記載の本発明によれば、操作部設置物の上部蓋部材にパームレストが設けられていることを前提として、上部蓋部材を開放させる際には、まず解除手段によってロック手段によるパームレストのロック状態を解除し、続いてパームレスト移動手段によって当該パームレストを所定の回動位置まで移動させる。これにより、開閉手段によって上部蓋部材を開放させることができる。すなわち、本発明によれば、乗員はパームレストに掌を載せたままの状態で、上部蓋部材の開放動作を行うことができる。
【００２０】
請求項６記載の本発明によれば、パームレストの下部側又は側部側に解除手段を設けたので、乗員がパームレストに掌を載せたときに、指の動きに合う位置に解除手段が設定されることになる。
【発明の効果】
【００２１】
以上説明したように、本発明に係る車両用スイッチ操作機構は、車両用シートに隣接して配置された操作部設置物に設けられ、乗員が指で操作する操作部と、操作部の後方側に配置され、乗員が指で操作部を操作する際に乗員の掌を載せるパームレストと、を含んで構成された車両用スイッチ操作機構において、パームレストを車両前後方向又は車両幅方向或いは車両斜め方向へ移動させるためのパームレスト移動手段と、パームレストを移動後の位置に保持するロック手段と、乗員がパームレストに掌を載せた状態で当該乗員の指が届く範囲に設けられ、ロック手段によるロック状態を解除するための解除手段と、を有するので、乗員が車両用シートに着座したままでパームレストの位置を容易に調節することができるという優れた効果を有する。
【００２２】
請求項２記載の本発明に係る車両用スイッチ操作機構は、請求項１記載の発明において、パームレストを操作部設置物に対して近接・離隔方向へ移動可能とするパームレスト移動機構によってパームレスト移動手段を構成すると共に、パームレストをパームレスト移動機構による移動後の位置に保持するパームレストロック機構によってロック手段を構成したので、操作部設置物に配設された操作部を基準としたパームレストの位置を調節することができ、その結果、乗員の掌の大きさに最適なパームレストの位置の調節を容易に行うことができるという優れた効果を有する。
【００２３】
請求項３記載の本発明に係る車両用スイッチ操作機構は、請求項１記載の発明において、操作部設置物を車体フロアに対して車両前後方向へ移動可能とする操作部設置物移動機構によってパームレスト移動手段を構成すると共に、操作部設置物を操作部設置物移動機構による移動後の位置に保持する操作部設置物ロック機構によってロック手段を構成したので、車体フロアを基準としたパームレストの位置を調節することができ、その結果、乗員の腕の長さに最適なパームレストの位置の調節を容易に行うことができるという優れた効果を有する。
【００２４】
請求項４記載の本発明に係る車両用スイッチ操作機構は、請求項２記載のパームレスト移動機構及びパームレストロック機構と、請求項３記載の操作部設置物移動機構及び操作部設置物ロック機構と、を併有しており、解除手段は、パームレストロック解除手段によるパームレストのロック状態を解除するための第１解除部と、操作部設置物ロック機構による操作部設置物のロック状態を解除するための第２解除部と、によって構成されているため、乗員の掌の大きさ及び腕の長さに最適なパームレストの位置の調節を片手で容易に行うことができるという優れた効果を有する。
【００２５】
請求項５記載の本発明に係る車両用スイッチ操作機構は、請求項１記載の発明において、解除手段によってロック手段によるパームレストのロック状態を解除しかつパームレスト移動手段によって当該パームレストを所定の回動位置まで移動させることにより、当該パームレストが設けられた操作部設置物の上部蓋部材を開閉可能とする開閉手段を有するので、乗員はパームレストに掌を載せたままの状態で上部蓋部材の開放動作を行うことができ、その結果、パームレストの位置調節時の操作性を向上させることができるだけでなく、操作部設置物の上部蓋部材の開閉操作時の操作性をも向上させることができるという優れた効果を有する。
【００２６】
請求項６記載の本発明に係る車両用スイッチ操作機構は、請求項１乃至請求項５のいずれか一項に記載の発明において、パームレストの下部側又は側部側に解除手段を設けたので、乗員がパームレストに掌を載せたときに、指の動きに合う位置に解除手段が設定されることになり、その結果、解除操作性を向上させることができるという優れた効果を有する。
【発明を実施するための最良の形態】
【００２７】
〔第１実施形態〕
以下、図１〜図６を用いて、本発明に係る車両用スイッチ操作機構の第１実施形態について説明する。なお、これらの図において適宜示される矢印ＦＲは車両前方側を示しており、矢印ＵＰは車両上方側を示しており、矢印ＯＵＴは車両幅方向外側を示している。
【００２８】
図１には、本実施形態に係るコンソールボックス本体の車体フロアへの組付状態の縦断面図が示されている。また、図２には、当該コンソールボックス本体の外観斜視図が示されている。また、さらに、図３には、本実施形態に係るコンソールボックス本体の要部分解斜視図が示されている。また、図４には、パームレストから操作部にかけての部分の縦断面図が示されている。
【００２９】
これらの図に示されるように、操作部設置物としてのコンソールボックス本体１０は、車両前後方向に長い箱体形状に形成されている。なお、コンソールボックス本体１０は、左右のフロントシート（車両用シート）の間に隣接して配設されている。コンソールボックス本体１０の内部には、抽斗式の収納部１２や開閉式の収納部１４が形成されている。
【００３０】
図３に示されるように、上記コンソールボックス本体１０の上部前端側には、平面視で略矩形状の開口部１６が形成されている。さらに、コンソールボックス本体１０の上部前端側には、開口部１６の後端縁に臨むようにして車両上方側へ隆起したパームレスト１８が一体かつ連続的に形成されている。このパームレスト１８に掌を載せて後述する操作スイッチ２８を指で操作するようになっている。また、開口部１６の周辺四隅には、軸心部に雌ねじ（図示省略）が形成された円筒形状のボス２０が一体に立設されている。
【００３１】
上述したコンソールボックス本体１０の開口部１６には、車両上方かつ後方側へ隆起した形状のベゼル２２が車両下方側から取り付けられるようになっている。ベゼル２２の四隅には、取付用のフランジ部２４が一体に形成されており、かかるフランジ部２４にはねじ挿通孔２６がそれぞれ形成されている。
【００３２】
ベゼル２２の前部側には、乗員が指で操作する複数の操作スイッチ２８が下方側から嵌合されている。また、ベゼル２２の後部２２Ａには、車両幅方向に長い段差部３０が形成されている。かかる段差部３０の底部にも、左右一対のねじ挿通孔３２が形成されている。
【００３３】
上記ベゼル２２の段差部３０には、ノブアッセンブリ３４が取り付けられるようになっている。ノブアッセンブリ３４は、内部中空とされたノブハウジング３６を備えている。ノブハウジング３６の両側部には取付用のフランジ部３８が張り出されており、かかるフランジ部３８にはベゼル２２の後端側のねじ挿通孔２６と同軸となる位置にねじ挿通孔４０が形成されている。さらに、ノブハウジング３６の底面からは、段差部３０のねじ挿通孔３２に挿入される左右一対の位置決めピン４２が一体に形成されている。さらに、ノブハウジング３６内には、乗員が指で操作する操作ノブ４４（操作ノブ４４については、後に詳述する。）が配設されている。操作ノブ４４の後端部には、ケーブル４６の他端部が接続されている。
【００３４】
組付けに際しては、まずノブアッセンブリ３４の左右一対の位置決めピン４２がベゼル２２の段差部３０の左右一対のねじ挿通孔３０内へ挿入されて当該段差部３０に装着される。そして、この状態でベゼル２２の四隅に形成されたねじ挿通孔２６内へコンソールボックス本体１０側のボス２０を挿入させ、図示しないねじをボス２０の雌ねじへ螺合させることにより、ノブハウジング３６がベゼル２２に予め仮止めされた状態でサブアッセンブリ化され、当該サブアッセンブリ化されたベゼル２２がコンソールボックス本体１０の開口部１６に車両下方側から取り付けられるようになっている。
【００３５】
また、図１に示されるように、上述したコンソールボックス本体１０は、車体フロア４８に敷設された固定側ガイドレール５０に沿って車両前後方向へスライド可能に支持されている。
【００３６】
具体的には、図５及び図６に示されるように、車体フロア４８側には平面視で略矩形枠状に形成された支持体５２が固定されている。この支持体５２の両側部に左右一対の固定側ガイドレール５０が形成されている。固定側ガイドレール５０は車両前後方向に沿って長尺状に形成されており、下向きに開放された略Ｕ字状の断面形状を成している。
【００３７】
また、上記固定側ガイドレール５０には、可動側ガイドレール５４が車両前後方向にスライド可能に挿嵌されている。可動側ガイドレール５４は固定側ガイドレール５０よりも短めの長尺状に形成されており、固定側ガイドレール５０に下側から嵌合可能なように略Ｕ字状の断面形状を成している。なお、固定側ガイドレール５０及び可動側ガイドレール５４は、広義にはガイド手段又はスライド手段として把握される要素である。
【００３８】
左右の可動側ガイドレール５４は、レール長手方向の複数箇所（例えば、前後二箇所）に配置されたパイプ状の連結ロッド５６及び連結ピン５８によって相互に連結されている。連結ピン５８の軸方向中間部（連結ロッド５６の端部）には、コンソールボックス本体１０に固定されるベースプレート６０の下部が支持されている。ベースプレート６０は、左右両側部に車両上方側へ立ち上がる取付座６２を三箇所ずつ備えており、合計６箇所の取付座６２にてベースプレート６０がコンソールボックス本体１０の側面下部に固定されている。なお、ベースプレート６０の前部には平面視で略矩形平板状の支持プレート６４が配設されており、組付後の状態ではコンソールボックス本体１０の底面に当接されるようになっている。
【００３９】
さらに、上記ベースプレート６０の一方の側部の所定位置には、ロックレバー６６が支軸６８（図５（Ｂ）参照）回りに前後方向に揺動可能に配設されている。ロックレバー６６の上端部６６Ａには前述したケーブル４６の一端部４６Ａが係止されるようになっている。また、ロックレバー６６の下部側には車両幅方向外側（固定側ガイドレール５０側）へ張り出されたロック部６６Ｂが形成されている。このロック部６６Ｂは正面視で二股の爪状に形成されており、固定側ガイドレール５０の内側の側壁５０Ａの下縁に形成されかつ凹凸が連続した形状の被ロック部７０に係合可能とされている。ロックレバー６６は図示しない捩じりコイルスプリング等の付勢手段によって支軸６８回りに後側（図１の側面視で時計方向）、即ちロック部６６Ｂが被ロック部７０に係合する方向へ常時回転付勢されている。
【００４０】
ここで、図４に示されるように、上述したパームレスト１８の下部側には、ノブアッセンブリ３４、つまり操作ノブ４４が配設されている。従って、操作ノブ４４は、乗員が掌をパームレスト１８に載せた際に指が届く範囲に設けられている。
【００４１】
操作ノブ４４は、略鉤状断面に形成されかつ前方側が開放された摘み部４４Ａと、この摘み部４４Ａの幅方向の端部に一体に形成された側壁４４Ｂと、摘み部４４Ａの背面側に一体に形成されたアーム状の支持部４４Ｃと、を含んで構成されている。支持部４４Ｃはノブハウジング３６側に設けられた支軸７２回りに揺動可能に支持されている。さらに、支軸７２には広義には付勢手段として把握される捩じりコイルスプリング７４が巻装されている。捩じりコイルスプリング７４の一端部はノブハウジング３６に係止されており、又他端部は操作ノブ４４の支持部４４Ｃに係止されている。従って、捩じりコイルスプリング７４は、操作ノブ４４を常時反時計方向（図４の二点鎖線図示位置から実線図示位置へ向かう方向）へ回転付勢している。また、上記操作ノブ４４の側壁４４Ｂには、ケーブル４６の他端部４６Ｂが係止されている。
【００４２】
（本実施形態の作用並びに効果）
次に、本実施形態の作用並びに効果について説明する。
【００４３】
乗員がコンソールボックス本体１０の上部前側に配設された操作スイッチ２８を操作する場合、操作スイッチ２８の後方側に配置されたパームレスト１８に掌を載せて、指で操作スイッチ２８を操作すればよい。
【００４４】
ところで、乗員が操作スイッチ２８を指で操作するにあたって、パームレスト１８の車両前後方向の位置が当該乗員にとって前過ぎたり、逆に後過ぎたりすることがある。このような場合には、乗員はパームレスト１８に掌を載せたまま、パームレスト１８の下面側にある操作ノブ４４に指をかけて操作ノブ４４を上へ引き上げればよい。
【００４５】
操作ノブ４４を捩じりコイルスプリング７４の付勢力に抗して指で引き上げると、それに伴ってケーブル４６が牽引される。このため、ロックレバー６６が図示しない付勢手段の付勢力に抗して支軸６８回りに車両前方側へ揺動される。これにより、ロックレバー６６のロック部６６Ｂと固定側ガイドレール５０の被ロック部７０との係合状態が解除される。
【００４６】
そこで、乗員はパームレスト１８に掌に載せて操作ノブ４４を引き上げた状態のまま、コンソールボックス本体１０全体を車両前方側又は車両後方側へ押せば、コンソールボックス本体１０が固定側ガイドレール５０に沿って車両前後方向へスライドする。これにより、乗員の腕の長さに最適となるようにパームレスト１８の前後位置が調節される。パームレスト１８の前後位置の調節が完了したら、操作ノブ４４を放せば、捩じりコイルスプリング７４の付勢力によって操作ノブ４４が元の位置に復帰すると共に、図示しない付勢手段の付勢力によってロックレバー６６が元の位置に復帰して、ロック部６６Ｂが固定側ガイドレール５０の被ロック部７０に再び係合してロック状態となり、パームレスト１８は移動後（前後位置調節後）の位置に保持される。
【００４７】
このように本実施形態に係る車両用スイッチ操作機構（コンソールボックス構造）では、パームレスト１８の下面側、即ち乗員の指の届く範囲にロック解除操作をするための操作ノブ４４を配設したので、乗員はパームレスト１８に掌を載せたままの状態で、パームレスト１８の前後位置の調節ができる。その結果、本実施形態によれば、蓋等の開閉操作をしなくても、乗員はフロントシートに着座したままの状態で、パームレスト１８の前後位置を容易に調節することができる。
【００４８】
さらに、パームレスト１８の下面側に操作ノブ４４が配設されることで、意匠としてもパームレスト１８との一体性が醸し出されるので、意匠性にも優れている。
【００４９】
また、本実施形態に係る車両用スイッチ操作機構では、スライド式のコンソールボックス本体１０に対して本発明を適用したので、パームレスト１８の前後位置をコンソールボックス本体１０のスライド動作によって調節することになる。つまり、本実施形態の場合、車体フロア４８を基準としたパームレスト１８の前後位置を調節することが可能となる。その結果、本実施形態によれば、乗員の腕の長さに最適なパームレスト１８の前後位置の調節を容易に行うことができるできる。
【００５０】
さらに、本実施形態に係る車両用スイッチ操作機構では、パームレスト１８の下面側にロック解除操作をするための操作ノブ４４を配設したので、乗員がパームレスト１８に掌を載せたときに、指の動きに合う位置に操作ノブ４４が設置されることになる。その結果、本実施形態によれば、解除操作性を向上させることができる。
【００５１】
〔第２実施形態〕
以下、図７〜図１３を用いて、本発明に係る車両用スイッチ操作機構の第２実施形態について説明する。なお、前述した第1実施形態と同一構成部分については、同一番号を付してその説明を省略する。
【００５２】
図７には、第２実施形態に係るコンソールボックス本体の外観斜視図が示されている。また、図８には、当該コンソールボックス本体の分解斜視図が示されている。
【００５３】
これらの図に示されるように、第２実施形態に係る車両用スイッチ操作機構では、パームレスト１８自体が操作部設置物としてのコンソールボックス本体１００に対して車両前後方向へスライド可能に設けられていると共に、コンソールボックス本体１００全体も車体フロア４８に対して車両前後方向へスライド可能に支持されており、更にこれらのスライド操作をパームレスト１８の下部側に設けられた第１操作ノブ１０２及び第２操作ノブ１０４によって操作することが可能に構成されている点に特徴があり、以下に詳細に説明する。
【００５４】
まず、コンソールボックス本体１００は第１実施形態と同様に車両前後方向に長い略箱体形状に形成されており、内部に比較的大きな収納スペース１０６（図８参照）を備えている。コンソールボックス本体１００の上部には、前記収納スペース１０６を開閉するための上部蓋部材１０８が車両前後方向にスライド可能に配設されている。
【００５５】
コンソールボックス本体１００の上部前端側には、前述した第１実施形態の操作スイッチ２８に相当するコントローラ（例えば、パプティックコントローラ）１１０が車両上方側へ隆起した形状に設定されている。
【００５６】
上記コントローラ１１０の後方側には、パームレスト１８が前後に対向して配置されている。なお、パームレスト１８は、上部蓋部材１０８の前端中央部に一体に形成されている。パームレスト１８の下部側には、第１操作ノブ１０２と第２操作ノブ１０４とが上下に並んで配設されている。
【００５７】
上述したコンソールボックス本体１００の前後スライド機構は、前述した第１実施形態と同様であるので、その説明は省略することとし、ここではパームレスト１８自体のスライド機構について説明する。
【００５８】
パームレスト１８は上部蓋部材１０８と一体に形成されているので、パームレスト１８は上部蓋部材１０８のスライド操作によってコンソールボックス本体１００に対して車両前後方向へスライドすることになる。
【００５９】
図８及び図１０に示されるように、コンソールボックス本体１００における両側壁１００Ａの対向面には、側面視で左右逆向きの略Ｌ字状に形成されたガイド溝１１２が形成されている。ガイド溝１１２の下部１１２Ａには、所定の間隔で複数（本実施形態では、３個）の第１係合孔１１４、第２係合孔１１６、及び第３係合孔１１８が形成されている。第１係合孔１１４乃至第３係合孔１１８は、すり鉢状に形成されている。なお、中間部に位置する第２係合孔１１６が、パームレスト１８の前後位置のニュートラルに対応する。また、ガイド溝１１２の上部１１２Ｂは、後述するロックピン１２０が挿通可能なように上端部が開放されており、溝幅Ｗ（図１０参照）はロックピン１２０の外径よりも大きく設定されている。
【００６０】
これに対応して、上部蓋部材１０８の両側面の前端側には、上部蓋部材１０８の幅方向を軸方向とするロックピン１２０が進退可能に設けられている。図９に示されるように、ロックピン１２０は、上部蓋部材１０８の前端面に配置された第１操作ノブ１０２の車両前後方向への動きに連動して車両幅方向へ進退するようになっている。
【００６１】
第１操作ノブ１０２の構成について先に説明すると、第１操作ノブ１０２は、乗員が指で押圧する略中空直方体形状の押圧部１０２Ａと、この押圧部１０２Ａの後端面の中央部から車両後方側へ突出形成された平面視でフラスコ形状のガイド部１０２Ｂと、このガイド部１０２Ｂの後端面の中央部から車両後方側へ突出形成された軸状の支持ピン１０２Ｃと、によって構成されている。
【００６２】
支持ピン１０２Ｃは、上部蓋部材１０８に形成された壁１２２に軸方向移動可能に支持されている。また、支持ピン１０２Ｃには、広義には付勢手段として把握される圧縮コイルスプリング１２４が巻装されている。圧縮コイルスプリング１２４の一端部は壁１２２に当接係止されており、又他端部はガイド部１０２Ｂの後端面に当接係止されている。従って、圧縮コイルスプリング１２４は、第１操作ノブ１０２を進出方向（車両前方側）へ常時押圧付勢している。
【００６３】
さらに、ガイド部１０２Ｂの両側部は車両後方側へ進むにつれて幅方向寸法が大きくなる傾斜面１２６とされており、かかる傾斜面１２６に上部蓋部材１０８の側壁１０８Ａに軸方向移動可能に支持されたロックピン１２０の先端部１２０Ａが当接するようになっている。なお、そのため、ロックピン１２０の先端部１２０Ａは傾斜面１２６に合致するテーパ面とされている。
【００６４】
ロックピン１２０の軸方向中間部には鍔部１２０Ｂが形成されており、ロックピン１２０における鍔部１２０Ｂと上部蓋部材１０８の側壁１０８Ａとの間には、広義には付勢手段として把握される圧縮コイルスプリング１２８が巻装されている。圧縮コイルスプリング１２８の一端部は側壁１０８Ａに当接係止されており、又圧縮コイルスプリング１２８の他端部は鍔部１２０Ｂに当接係止されている。従って、圧縮コイルスプリング１２８は、ロックピン１２０の先端部１２０Ａを第１操作ノブ１０２のガイド部１０２Ｂの傾斜面１２６に当接する方向へ常時押圧付勢している。なお、ロックピン１２０には、図示しない回り止めの構成が付加されている。
【００６５】
上記構成により、第１操作ノブ１０２の傾斜面１２６とロックピン１２０の先端部１２０Ａとの相対位置関係によって、ロックピン１２０が上部蓋部材１０８の側壁１０８Ａから進退するようになっている。
【００６６】
また、図８に戻り、上述したコンソールボックス本体１００の収納スペース１０６の両側面の後端上部には、車両前後方向を長手方向とする長孔１３０（図８では紙面奥側の長孔１３０のみ図示）が形成されている。これに対応して、上部蓋部材１０８の下面における後端側には、左右一対のヒンジレバー１３２（図８では紙面手前側のヒンジレバー１３２のみ図示）が配設されている。
【００６７】
ヒンジレバー１３２は側面視で略Ｌ字状に形成されており、その後端部にはガイドローラ１３４が転動自在に軸支されている。長孔１３０の孔幅はガイドローラ１３４の外径よりも僅かに大きめに設定されている。従って、上部蓋部材１０８がコンソールボックス本体１００に対して車両前後方向へスライドする際には、ガイドローラ１３４が長孔１３０内を車両前後方向へ転動することにより、作動の安定性が確保されている。
【００６８】
また、上記長孔１３０は上部蓋部材１０８の車両前後方向へのスライド量を規定する部分でもあるが、ガイドローラ１３４が長孔１３０の後端部に位置したときに、ロックピン１２０がガイド溝１１２の下部１１２Ａの後端部に位置して上部１１２Ｂを通過可能なように各部の寸法設定がなされている。
【００６９】
上述した如く、第１操作ノブ１０２は上部蓋部材１０８の前端面に進退可能に設定されており、通常は当該前端面よりも所定長さだけ車両前方側へ突出した状態で配置されている。そして、図７及び図８に示されるように、第１操作ノブ１０２の下方側にコンソールボックス本体１００を車体フロア４８に対して車両前後方向へスライドさせるためのロック解除用の第２操作ノブ１０４が配設されている。
【００７０】
図１１に示されるように、第２操作ノブ１０４はコンソールボックス本体１００側に固定的に配置されている。図１１では第２操作ノブ１０４を簡略的に図示しているが、構成自体は、前述した第１実施形態と同様であるため、その説明は省略する。
【００７１】
（本実施形態の作用並びに効果）
次に、本実施形態の作用並びに効果について説明する。
【００７２】
乗員がフロントシートに着座してパームレスト１８に掌を載せた際、乗員の腕の長さとの関係でパームレスト１８の車両前後方向の位置が当該乗員にとって適当でない場合には、前述した第１実施形態で説明した要領で、パームレスト１８に掌を載せたまま、パームレスト１８の下面側にある第２操作ノブ１０４に指をかけて第２操作ノブ１０４を上へ引き上げて、コンソールボックス本体１００を前後にスライドさせ、適当な位置にきたら第２操作ノブ１０４から指を放せばよい。
【００７３】
ここで、乗員の腕の長さとの関係におけるパームレスト１８の車両前後方向の位置を最適な位置に調節することができたとしても、乗員の掌の大きさは区々である。このため、パームレスト１８に掌を載せたままの状態でコントローラ１１０を指で操作するにあたって、パームレスト１８の車両前後方向の位置とコントローラ１１０の操作位置との間隔（距離）Ｌ（図１１参照）が長かったり、短かったりすることがある。この場合、以下の要領でコンソールボックス本体１００に対するパームレスト１８の位置を調節すればよい。
【００７４】
まず、パームレスト１８に掌を載せたまま、上部蓋部材１０８の前端面から突出している第１操作ノブ１０２に指をかけて車両後方側へ押圧する。図９に示されるように、第１操作ノブ１０２の押圧部１０２Ａを圧縮コイルスプリング１２４の付勢力に抗して車両後方側へ押圧すると、それに伴ってガイド部１０２Ｂの傾斜面１２６も車両後方側へ変位する。このため、圧縮コイルスプリング１２８の付勢力によって、ロックピン１２０が傾斜面１２６上を相対的に摺動して傾斜面１２６の前端側に至る。これにより、ロックピン１２０は上部蓋部材１０８の内方へと退出して、コンソールボックス本体１００の第２係合孔１１６（ニュートラル位置）から離脱し、ロック状態が解除される。
【００７５】
続いて、第１操作ノブ１０２の押圧部１０２Ａを車両後方側へ押圧したまま、パームレスト１８（上部蓋部材１０８）を車両前方側又は車両後方側へスライドさせればよい。なお、第１操作ノブ１０２の押圧部１０２Ａは、ロック状態が解除されて上部蓋部材１０８を若干前後動させた時点で放してよい。そして、図１１及び図１２に示されるように、掌が比較的小さめの乗員の場合は、パームレスト１８を車両前方側へスライドさせてロックピン１２０を第１係合孔１１４へ係合させればよい。逆に、掌が比較的大きめの乗員の場合は、パームレスト１８を車両後方側へスライドさせてロックピン１２０を第３係合孔１１８へ係合させればよい。このようにすることで、乗員の掌の大きさとの関係におけるパームレスト１８のコントローラ１１０を基準とした車両前後方向の位置も最適化することができる。ちなみに、本実施形態では、パームレスト１８の可動範囲（前後位置調節可能範囲）はＳ（図１１参照）である。
【００７６】
このように本実施形態に係る車両用スイッチ操作機構（コンソールボックス構造）では、コントローラ１１０を基準としたパームレスト１８の前後位置をも調節可能としたので、パームレスト１８の前後位置を乗員の腕の長さに応じて最適化することができるだけでなく、乗員の掌の大きさに応じて最適化することもできる。しかも、第１操作ノブ１０２及び第２操作ノブ１０４はパームレスト１８の下部側で乗員の指が届く範囲に設けられているので、これらの操作を片手で行うことができる。以上より、本実施形態によれば、乗員の掌の大きさ及び腕の長さに最適なパームレスト１８の前後位置の調節を片手で容易に行うことができる。
【００７７】
また、本実施形態に係る車両用スイッチ操作機構では、コンソールボックス本体１００の収納スペース１０６に収納した物を取り出す場合には、パームレスト１８の押圧部１０２Ａを押したまま車両後方側へフルストロークさせて、ガイドローラ１３４を長孔１３０の後端部に位置させてから、車両上方側へ上部蓋部材１０８を持ち上げれば、ロックピン１２０はガイド溝１１２の上部１１２Ｂを通過して、上部蓋部材１０８を開けることができる。すなわち、本実施形態によれば、乗員はパームレスト１８に掌を載せたままの状態で、上部蓋部材１０８の開放動作を行うことができる。その結果、本実施形態によれば、パームレスト１８の前後位置調節時の操作性を向上させることができるだけでなく、コンソールボックス本体１００の上部蓋部材１０８の開閉操作時の操作性をも向上させることができる。従って、収納スペース１０６内に収納された物の取り出し性も極めて良好である。
【００７８】
なお、上記実施形態では、ガイド溝１１２に第１係合孔１１４から第３係合孔１１８までの穴を形成したが、これに限らず、図１３（Ａ）、（Ｂ）に示されるように、側面視で左右逆向きのＬ字状とされたガイド溝１３６を形成すると共に、底面１３６Ａ側を波形形状とし、その山となる部分１３８の真下に略楕円形状の穴１４０を設定してもよい。この場合、ロックピン１２０が前後方向へ移動する際には、穴１４０が上下に潰れる方向へ撓み、山となる部分１３８が下方へ弾性的に変位することで、ロックピン１２０がガイド溝１３６を前後方向へ移動することができる。また、この構成を採ると、パームレスト１８を前後に移動させる際に節度感が得られるメリットがある。
【００７９】
〔上記実施形態の補足説明〕
なお、上述した各実施形態では、操作ノブ４４、第１操作ノブ１０２、第２操作ノブ１０４（解除手段）をパームレスト１８の下部側でかつ指の届く範囲に設けたが、これに限らず、乗員がパームレスト１８に掌を載せた状態で指が届く範囲に設けられていればよく、例えば、パームレスト１８の側部側で指の届く範囲に解除手段を設けてもよい。また、第２実施形態では、第１操作ノブ１０２及び第２操作ノブ１０４のいずれもパームレスト１８の下部側に設けたが、例えば、第１操作ノブはパームレストの側部側に設けて、第２操作ノブはパームレストの下部側に設けるといった構成を採ってもよい。さらに、操作部の近傍に解除手段を設けてもよい。
【００８０】
また、上述した第１実施形態では操作部として操作スイッチ２８を用い、第２実施形態では操作部としてコントローラ１１０を用いたが、乗員がパームレストに掌を載せたまま指で操作することが可能な構成でれば、本発明の操作部の概念に含まれる。従って、押しボタン式のスイッチ、揺動させるスイッチ、タッチ式の操作パネル、ダイヤル式のスイッチ、ボールを回転させてポインタを移動させてクリックするもの等、車両デザインコンセプトや操作性、利便性等の観点の下、適宜選択すればよい。
【００８１】
さらに、上述した各実施形態では、ロックレバー６６のロック部６６Ｂが固定側ガイドレール５０の内側の側壁５０Ａの下縁に設けたパルス波形状の被ロック部７０に係合させる構成を採ったが、これに限らず、他のロック機構の構成を採用してもよい。例えば、シートスライド機構で採用されているような固定側ガイドレール（ロワレール）の内側の側壁に所定ピッチで多数の係合孔を形成し、ロックレバーの鉤爪状のロック部が当該係合孔に係合する構成を採ってもよい。
【００８２】
また、上述した第１実施形態では、コンソールボックス本体１０全体を車両前後方向へスライドさせることによりパームレスト１８の前後位置を調節する構成を採り、又第２実施形態では、前記に加え、パームレスト１８自体をコンソールボックス本体１００に対して車両前後方向にスライド可能に調節したが、これに限らず、例えば、コンソールボックス本体は車体フロアに対して車両前後方向へスライドせず、パームレスト１８のみがコンソールボックス本体に対して車両前後方向へスライド可能な実施形態を採用するようにしてもよい。
【００８３】
さらに、上述した各実施形態では、パームレスト１８の前後位置の調節をメカ的なスライド機構によって構成したが、これに限らず、電気的な構成によってパームレストの（前後）位置を調節するようにしてもよい。
【００８４】
例えば、パームレストの下部側に上下に揺動可能な第１スイッチ及び第２スイッチを左右に併設しておくと共に、コンソールボックス本体側の固定側ガイドレールを送りねじで構成し、送りねじに螺合する直方体形状のブロックを設けておく。そして、第１スイッチを押し上げると、モータが正転してブロックが車両前方側へ移動し、コンソールボックス本体を車両前方側へ移動させる。逆に、第１スイッチを押し下げると、モータが逆転してブロックが車両後方側へ移動し、コンソールボックス本体を車両後方側へ移動させる。また、パームレスト側でも同様に構成すればよい。例えば、パームレストの下面側に前記ブロックに相当する移動体を固定しておき、送りねじに螺合させておく。そして、第２スイッチを押し上げると、モータが正転して移動体が車両前方側へ移動し、パームレストを車両前方側へ移動させる。逆に、第２スイッチを押し下げると、モータが逆転して移動体が車両後方側へ移動し、パームレストを車両後方側へ移動させる。なお、前記構成を採る場合、パームレスト側の移動速度を落とすためにモータと送りねじとの間に減速機構を介在させておくとよい。
【００８５】
また、上述した各実施形態では、コンソールボックス本体１０、１００に操作部を設置したが、これに限らず、センタクラスタ部やドアトリムに操作部を設置するようにしてもよい。つまり、本発明における操作部設置物には、コンソールボックスの他にも、センタクラスタ部やドアトリム等の内装部材も含まれる。従って、操作部設置物によっては、パームレスト移動手段によってパームレストを移動させる方向が、車両前後方向ではなく、車両幅方向や車両斜め方向である場合もある。
【００８６】
さらに、請求項１記載の本発明における「車両用シートに隣接して配置された操作部設置物」という記載の「隣接」には、車両用シートに直接取り付けられたアームレストも含まれる。この場合、当該アームレストが「操作部設置物」に相当する。
【００８７】
また、請求項１記載の本発明における「前記操作部の後方側に配置され、」という記載の「後方側」とは、乗員が車両用シートに着座した位置で、当該乗員に対して相対的に後方側という意味である。
【図面の簡単な説明】
【００８８】
【図１】第１実施形態に係るコンソールボックス本体の車体フロアへの組付状態を示す縦断面図（図２の１‐１線断面図）である。
【図２】図１に示されるコンソールボックス本体の外観斜視図である。
【図３】図１に示されるコンソールボックス本体の要部分解斜視図である。
【図４】図１に示されるパームレストから操作部にかけての部分の縦断面図である。
【図５】図１に示されるコンソールボックス本体をスライド可能に支持するスライド機構の全体構成を示す斜視図である。
【図６】図５に示されるスライド機構を一般断面にて示す縦断面図である。
【図７】第２実施形態に係るコンソールボックス本体の外観斜視図である。
【図８】図７に示されるコンソールボックス本体の分解斜視図である。
【図９】第１操作ノブの周辺構造を拡大して示す横断面図である。
【図１０】図８に示されるガイド溝を拡大して示す側面図である。
【図１１】パームレストの前後調節の様子を示す概略側面図である。
【図１２】ロックピンとパームレストとの位置関係を示す作動説明図である。
【図１３】（Ａ）は図１０に示されるガイド溝の変形例を拡大して示す斜視図であり、（Ｂ）はその作動説明用の側面図である。
【符号の説明】
【００８９】
１０      コンソールボックス本体（操作部設置物）
１８      パームレスト
２８      操作スイッチ（操作部）
４４      操作ノブ（解除手段）
４８      車体フロア
５０      固定側ガイドレール（操作部設置物移動機構、パームレスト移動手段）
５４      可動側ガイドレール（操作部設置物移動機構、パームレスト移動手段）
６６      ロックレバー（操作部設置物ロック機構、ロック手段）
７０      被ロック部（操作部設置物ロック機構、ロック手段）
１０２    第１操作ノブ（第１解除部、解除手段）
１０４    第２操作ノブ（第２解除部、解除手段）
１０８    上部蓋部材
１００      コンソールボックス本体（操作部設置物）
１１０    コントローラ（操作部）
１１２    ガイド溝（パームレスト移動機構、パームレスト移動手段）
１１２Ｂ    上部（開閉手段）
１１４    第１係合孔（パームレストロック機構、ロック手段）
１１６    第２係合孔（パームレストロック機構、ロック手段）
１１８    第３係合孔（パームレストロック機構、ロック手段）
１２０    ロックピン（パームレスト移動機構、パームレストロック機構、パームレスト移動手段）
１２４    圧縮コイルスプリング  （パームレストロック機構、ロック手段）
１３０    長孔（パームレスト移動機構、開閉手段）
１３２    ヒンジレバー（パームレスト移動機構、開閉手段）
１３４    ガイドローラ（パームレスト移動機構、開閉手段）
１３６    ガイド溝（パームレスト移動機構、パームレスト移動手段）
【図１】
2006240330.tif 000003
【図２】
2006240330.tif 000004
【図３】
2006240330.tif 000005
【図４】
2006240330.tif 000006
【図５】
2006240330.tif 000007
【図６】
2006240330.tif 000008
【図７】
2006240330.tif 000009
【図８】
2006240330.tif 000010
【図９】
2006240330.tif 000011
【図１０】
2006240330.tif 000012
【図１１】
2006240330.tif 000013
【図１２】
2006240330.tif 000014
【図１３】
2006240330.tif 000015